(57)【要約】【課題】ナースコール子機がベッド上にどのように置かれていても、患者が容易かつ確実に呼出操作を行えるようにする。【解決手段】ナースコール子機１０の筐体の異なる面に、同機能の第１の操作部１２および第２の操作部１３を設けるとともに、筐体の内部に傾斜センサ１４を設け、筐体の傾きが所定の角度範囲内であれば、第１の操作部１２および第２の操作部１３の両方を有効とし、所定の角度範囲外であれば上向きになっている第１の操作部１２または第２の操作部１３を有効とすることにより、ナースコール子機１０がどのように置かれていても患者が操作し易くなるようにする。【選択図】        図２
2008018037.tif 000002
【特許請求の範囲】
【請求項１】
呼び出しの操作を行うための操作部を備えたナースコール子機であって、
上記ナースコール子機の筐体の異なる面に、同機能の上記操作部を２つ以上設けたことを特徴とするナースコール子機。
【請求項２】
上記筐体の傾斜角度を検出する傾斜センサと、
上記傾斜センサにて上記筐体が基準となる状態から所定の角度範囲内で傾いていることを検出した場合は上記２つ以上の操作部の全てを有効とし、上記傾斜センサにて上記筐体の傾きが上記所定の角度範囲以外であることを検出した場合は上記２つ以上の操作部のいずれかを有効とする操作制御部とを備えたことを特徴とする請求項１に記載のナースコール子機。
【請求項３】
上記２つ以上の操作部に対してそれぞれ対応づけて設けられた２つ以上の照度センサと、
上記２つ以上の照度センサにおいて検出したそれぞれの値をもとに、上記２つ以上の操作部のうち、いずれの操作部を有効にするかを決定する操作制御部とを備えたことを特徴とする請求項１に記載のナースコール子機。
【請求項４】
上記操作制御部は、上記２つ以上の照度センサにて検出したそれぞれの値のうち少なくとも２値間に一定以上の差があるとき、所定値以上の値を検出した照度センサと対応する上記操作部を有効とすることを特徴とする請求項３に記載のナースコール子機。
【請求項５】
上記操作制御部は、上記２つ以上の照度センサにて検出したそれぞれの値に一定値以上の差がないときには、上記２つ以上の操作部の全てを有効とすることを特徴とする請求項３または請求項４に記載のナースコール子機。
【発明の詳細な説明】
【技術分野】
【０００１】
本発明は、ナースコール子機に関し、特に、呼出ボタンの押下によって、患者が看護師への呼出操作を行うことができるように成されたナースコール子機に用いて好適なものである。
【背景技術】
【０００２】
一般に、病院や介護施設などでは、ナースコールシステムが用いられている。ナースコールシステムは、病院の患者が看護師のサポートを必要とする際、または介護施設の被介護者が介護師のサポートを必要とする際に、患者や被介護者（以下、単に「患者」と言う）が呼出ボタン等を押下することによって看護師や介護師（以下、単に「看護師」と言う）を呼び出すことができるように成されたシステムである。
【０００３】
多くのナースコールシステムは、ベッドサイドやトイレ、浴室などに設置するナースコール子機と、ナースセンタに設置するナースコール親機と、病室や介護室等の各部屋の入口付近に設置する廊下灯と、通話やデータの送受信に関する制御を行う制御機とを備えて構成されている。最近では、看護師が携帯するＰＨＳ（Personal Handy phone System）端末とＰＢＸ（Private Branch Exchange：電話交換機）とを組み合わせたナースコールシステムも提供されている。
【０００４】
上述のナースコールシステムにおいては、呼出ボタンをナースコール子機の筐体の表面に設け、ナースコール子機をベッドの上に置いたときに、表面に配置された呼出ボタンが上を向くようにすることで、患者が呼出ボタンを操作し易いようにしてある（例えば、特許文献１参照）。
【特許文献１】特開平１０−１６５３７６号公報
【発明の開示】
【発明が解決しようとする課題】
【０００５】
しかしながら、ナースコール子機の呼出ボタンが配置されている側が下向きとなった状態でベッドに置かれてしまうと、患者は呼出ボタンを容易に操作することができなくなってしまうという問題があった。
【０００６】
本発明は、このような問題を解決するために成されたものであり、ナースコール子機がベッド上にどのように置かれていても、患者が容易かつ確実に呼出操作を行えるようにすることを目的とする。
【課題を解決するための手段】
【０００７】
上述した課題を解決するために、本発明では、ナースコール子機の筐体の異なる面に、同機能の操作部を２つ以上備えるようにしている。
【発明の効果】
【０００８】
上記のように構成した本発明によれば、ナースコール子機の何れかの面が下を向いていても、他の面が下を向かないので、患者は、他の面に設けている操作部にて呼出操作を行うことができ、ナースコール子機がどのように置かれていても、看護師への呼出を容易かつ確実に行うことができるようになる。
【発明を実施するための最良の形態】
【０００９】
（第１の実施形態）
以下、本発明の第１の実施形態を図面に基づいて説明する。図１は、第１の実施形態によるナースコール子機１０の外観例を示す図である。なお、ここでは病院に設置されるナースコール子機１０を例にとって説明するが、本実施形態のナースコール子機１０は、病院に設置されるものに限定されない。例えば、介護施設等に設置される場合にも適用可能である。
【００１０】
図１において、１０はナースコール子機であり、例えば、患者のベッドサイドに設置された壁埋込形子機にケーブル１１を介して接続され、ベッド上に置いて使用される。ナースコール子機１０の筐体は、例えば、図１で示すように、直角柱の形状をしている。そして、筐体の一の底面に第１の操作部１２を備えており、この第１の操作部１２により看護師に対する呼出の操作をすることができる。また、第１の操作部１２と反対側の底面には、第１の操作部１２と同機能の第２の操作部１３（図１中には図示せず）が設けられている。すなわち、図１に示す第１の操作部１２と同様の構成を、図１中の裏面でも有している。
【００１１】
図２は、第１の実施形態のナースコール子機１０の構成例を示す説明図である。図２において、傾斜センサ１４は、ナースコール子機１０の筐体内部に設けられる。ここで、傾斜センサ１４は公知の傾斜センサで構成され、ナースコール子機１０の傾斜角度を検出する。この傾斜センサ１４では±１８０度の測定が可能である。傾斜センサ１４の検出角度の範囲は、±１８０度の間で設計により適宜変更することができる。
【００１２】
図３は、傾斜センサ１４で計測する傾斜角度の説明図である。図３に示すように、例えば、第１の操作部１２がベッドの表面に接して隠れるようにナースコール子機１０が置かれている状態を基準状態（傾斜センサ１４の角度０度）とする。そして、図３（ａ）に示すように、基準状態から、ナースコール子機１０の長手方向と直交する面のベッドの表面と接している一辺を軸として回転したとき、その傾斜角を検出することができるようになっている。また、図３（ｂ）に示すように、ナースコール子機１０の長手方向と平行する面のベッドの表面と接している一辺を軸として回転したとき、その傾斜角を検出することができるようになっている。
【００１３】
操作制御部１５は、傾斜センサ１４で測定された値をもとに、第１の操作部１２および第２の操作部１３の有効無効を制御する。例えば、ナースコール子機１０が、第１の操作部１２が下向きになりベッドに置かれている基準状態から、図３で示す所定の角度範囲内（±３０度〜±１５０度）で傾いた状態で立てかけられていたり、吊り下げられたりしているときには、操作制御部１５は、第１の操作部１２および第２の操作部１３の両方を有効とする。
【００１４】
また、ナースコール子機１０が所定の角度範囲以外（０度〜±３０度，±１５０度〜±１８０度）の状態で置かれているときには、ベッドの表面とナースコール子機１０とが形成する隙間に指を入れて第１の操作部１２または第２の操作部１３の操作をすることができない。このため、０度〜±３０度のときには指を入れて操作しにくい第１の操作部１２を無効とし、操作のしやすい第２の操作部１３を有効とする。また、±１５０度〜±１８０度のときには、指を入れて操作しにくい第２の操作部１３を無効とし、操作のしやすい第１の操作部１２を有効とする。
【００１５】
次に、第１の実施形態によるナースコール子機１０の動作について説明する。図４は、第１の実施形態のナースコール子機１０の動作例を示すフローチャートである。図４において、ナースコール子機１０の筐体内部に設けられている傾斜センサ１４は、筐体が基準状態から何度傾いているか検出する（ステップＳ１）。このとき、操作制御部１５は、傾斜センサ１４にて検出された角度が所定の角度範囲内（±３０度〜±１５０度）であるか否か判断する（ステップＳ２）。ここで、検出された角度が所定の角度範囲内（±３０度〜±１５０度）であると操作制御部１５にて判断した場合（ステップＳ２にてＹｅｓ）、操作制御部１５は、第１の操作部１２および第２の操作部１３の両方を有効とする（ステップＳ３）。
【００１６】
一方、傾斜センサ１４で検出された角度が所定の角度範囲（±３０度〜±１５０度）以外であると操作制御部１５にて判断した場合には（ステップＳ２にてＮｏ）、操作制御部１５は、検出された角度が３０度未満（−１５０度〜−１８０度）であるか否か判断する（ステップＳ４）。ここで、検出された角度が３０度未満であると操作制御部１５にて判断した場合には（ステップＳ４にてＹｅｓ）、操作制御部１５は、第２の操作部１３のみを有効とし（ステップＳ５）、ステップＳ１の処理に戻る。一方、検出された角度が３０度未満ではなかったと操作制御部１５にて判断した場合（１５０度〜１８０度である場合）には（ステップＳ４にてＮｏ）、操作制御部１５は、第１の操作部１２のみを有効とし（ステップＳ６）、ステップＳ１の処理に戻る。
【００１７】
以上詳しく説明したように、第１の実施形態では、ナースコール子機１０の筐体の異なる面に、同機能の第１の操作部１２および第２の操作部１３を設けたので、例えば、第１の操作部１２を設けた一の面が下向きとなった場合でも、他の面に設けた第２の操作部１３にて呼出操作をすることができる。このため、ナースコール子機１０がどのように置かれていても、患者は看護師への呼出を容易かつ確実に行うことができるようになる。
【００１８】
また、ベッドの表面とナースコール子機１０とが形成する隙間が、指が入らなくて操作できない程度の小さい角度となった場合には、小さい角度を形成している面の操作部が無効とされ、ベッドの表面との間で大きな角度を形成している面に設けられた操作部が有効となる。このため、例えば、下向きになった操作部がベッド上の突起や異物などに接触することで、誤って呼出操作がされてしまうことを防ぐことができる。
【００１９】
また、第１の実施形態では、ナースコール子機１０が立てかけられていたり、吊り下げられたりしていて、筐体が所定の角度範囲内となったときには、操作制御部１５は第１の操作部１２および第２の制御部１３の両方を有効とする。このため、患者は第１の操作部１２および第２の操作部１３の両方で呼出操作を行うことができ、より使い勝手がよくなる。また、指が入る程度の隙間（所定の角度）があれば第１の操作部１２および第２の操作部１３の両方が有効になるようにしたので、患者はベッドに横になった状態でも指を入れて呼出操作ができる。
【００２０】
（第２の実施形態）
次に、本発明による第２の実施形態について説明する。図５は、第２の実施形態におけるナースコール子機２０の外観例を示す図である。なお、この図５において、図１に示した符号と同一の符号を付したものは同一の機能を有するものであるので、ここでは重複する説明を省略する。
【００２１】
図５において、２１は第１の操作部１２の近傍に設けられた第１の受光孔である。この第１の受光孔２１は、ナースコール子機２０の筐体の中へ光を取り入れるために設けられている。ナースコール子機２０の筐体の内部には、第１の照度センサ２２（図５中には図示せず）が設けられており、第１の受光孔２１から取り入れた光によって、第１の操作部１２を設けた側の一の面が受ける光の照度を計測することができるようになっている。
【００２２】
また、第１の操作部１２と反対側の面には、第１の実施形態と同様に、第１の操作部１２と同機能の第２の操作部１３（図５中には図示せず）が設けられていて、その第２の操作部１３の近傍には第２の受光孔２３（同上）が設けられている。すなわち、図５に示す第１の操作部１２や第１の受光孔２１と同様の構成を、図５中の裏面でも有している。第２の受光孔２３から取り入れた光の照度は、筐体内部に設けた第２の照度センサ２４（同上）で計測することができる。
【００２３】
第１の操作部１２には、第１の照度センサ２２が対応づけられており、第２の操作部１３には、第２の照度センサ２４が対応づけられている。すなわち、第１の照度センサ２２で計測した照度は、第１の操作部１２が設けられた一の面の照度を計測したこととなる。また、第２の照度センサ２４で計測した照度は、第２の操作部１３が設けられた他の面の照度を計測したこととなる。
【００２４】
図６は、第２の実施形態のナースコール子機２０の構成例を示す説明図である。図６において、２５は操作制御部であり、第１の操作部１２および第２の操作部１３の有効無効を制御する。例えば、操作制御部２５は、第１の照度センサ２２および第２の照度センサ２４で測定した照度値をもとに、第１の操作部１２および第２の操作部１３のうち、何れを有効にするかを決定する。
【００２５】
例えば、操作制御部２５は、第１の照度センサ２２および第２の照度センサ２４にて検出される照度値に、一定以上の差（例えば、５０〜７５ルクス）があるかを判断する。ここで、照度値に一定以上の差が生じている場合として、次のような状況が考えられる。例えば、昼にナースコール子機２０の第１の操作部１２，第２の操作部１３のうち一方がベッドの表面と接するように置かれている場合である。ベッドの表面と接する面には光があたらないため、第１の照度センサ２２および第２の照度センサ２４で計測される照度値間に差がでるものと考えられる。
【００２６】
ところで、第１の操作部１２，第２の操作部１３のうち一方とベッドの表面とが接するように置かれている場合には、ベッドの表面と接している方の操作部が突起や異物などに接触することにより、誤って呼出を行ってしまう可能性がある。これを防止するために、照度値に一定以上の差がある場合には、ベッドと接する側の操作部を無効とする。具体的には、照度値に一定以上の差があるときには、操作制御部２５は、第１の照度センサ２２および第２の照度センサ２４で検出された照度がそれぞれ所定値（例えば、３００ルクス）以上であるか否かを判断する。ここで、所定値以上の照度が検出された側は光を受けている面、すなわちベッドと接していない面と考えられる。一方、照度が所定値未満である場合には、ベッドと接している側と考えられる。そこで、操作制御部２５は、所定値以上の値を検出した第１の照度センサ２２または第２の照度センサ２４と対応する第１の操作部１２または第２の操作部１３を有効とし、照度が所定値未満の場合は無効とする。
【００２７】
また、照度値に一定以上の差がない場合としては、次のような状況が考えられる。例えば、昼にナースコール子機２０が立てかけられている場合や、吊り下げられている場合である。このとき、第１の操作部１２および第２の操作部１３が設けられている面が受ける光の照度値には、あまり差がでないものと考えられる。また、患者がナースコール子機２０を手にもって空中で操作する場合も、第１の操作部１２および第２の操作部１３が設けられている面が受ける光の照度値にはあまり差が生じないものと考えられる。
【００２８】
また、照度値に一定以上の差がない場合の他の例として、夜間が考えられる。夜間の場合には、第１の操作部１２および第２の操作部１３が設けられている面の両方に光があたらないため、ナースコール子機２０が立てかけられている場合や、吊り下げられている場合、患者の手にもたれて空中で操作される場合、照度値に差がでないものと考えられる。このように、照度値に差が生じないときには、操作制御部２５にて、第１の操作部１２および第２の操作部１３の両方を有効にする。
【００２９】
なお、夜間は、第１の操作部１２，第２の操作部１３を設けた一の面がベッドの表面と接するように置かれている場合においても、照度値に差がでないものと考えられる。昼に、第１の操作部１２，第２の操作部１３が突起や異物などに接触することにより誤って呼出を行ってしまうリスクよりも、夜間、呼出操作をしたつもりが下向きの操作部が有効でないために呼出しが行われないリスクの方が大きいことを考慮し、第１の操作部１２，第２の操作部１３のうち一方とベッドの表面とが接するように置かれる状態の場合であっても、照度値に差が生じないときには、操作制御部２５にて、第１の操作部１２および第２の操作部１３の両方を有効にする。つまり、第１の操作部１２，第２の操作部１３のうち一方とベッドの表面とが接するように置かれる状態においては、昼は突起や異物などとの接触による誤操作の防止を考慮するように働き、夜間は患者の呼出操作を優先するように働く。
【００３０】
次に、第２の実施形態のナースコール子機２０の動作について説明する。図７は、第２の実施形態のナースコール子機２０の動作例を示すフローチャートである。図７において、ナースコール子機２０の筐体内部に設けられている第１の照度センサ２２は、第１の受光孔２１から取り入れた光の照度を検出する（ステップＳ２１）。また、第２の照度センサ２４は、第２の受光孔２３から取り入れた光の照度を検出する（ステップＳ２２）。ここで、操作制御部２５は、第１の照度センサ２２と第２の照度センサ２４とで検出した照度値に、一定以上の差があるか否か判断する（ステップＳ２３）。
【００３１】
検出した両照度値に一定以上の差がないと判断した場合には（ステップＳ２３にてＮｏ）、操作制御部２５は、第１の操作部１２および第２の操作部１３の両方を有効とし（ステップＳ２４）、ステップＳ２１の処理に戻る。一方、検出した両照度値に一定以上の差があると判断した場合には（ステップＳ２３にてＹｅｓ）、操作制御部２５は、第１の照度センサ２２で検出された照度値が所定値以上を示しているか判断する（ステップＳ２５）。ここで、第１の照度センサ２２で検出された照度値が所定値以上を示していた場合には（ステップＳ２５にてＹｅｓ）、操作制御部２５は、第１の操作部１２を有効とする（ステップＳ２６）。一方、第１の照度センサ２２で検出された照度値が所定値未満であった場合には（ステップＳ２５にてＮｏ）、操作制御部２５は、第１の操作部１２を有効にしない。
【００３２】
第１の照度センサ２２で検出された照度値が所定値未満であった場合、もしくは、第１の照度センサ２２で検出された照度値が所定値以上であり、第１の操作部１２を有効にした後は、操作制御部２５は、第２の照度センサ２２で検出された照度値が所定値以上を示しているか判断する（ステップＳ２７）。ここで、第２の照度センサ２４で検出された照度値が所定値以上を示していた場合（ステップＳ２７にてＹｅｓ）、操作制御部２５は、第２の操作部１３を有効とし（ステップＳ２８）、ステップＳ２１の処理に戻る。また、第２の照度センサ２４で検出された照度値が所定値未満であった場合には（ステップＳ２７にてＮｏ）、第２の操作部１３を有効にすることなくステップＳ２１の処理に戻る。
【００３３】
以上詳しく説明したように、第２の実施形態でも、ナースコール子機２０の筐体の異なる面に、同機能の第１の操作部１２および第２の操作部１３を設けたことで、例えば、第１の操作部１２を設けた一の面が下向きとなった場合でも、他の面に設けた第２の操作部１３にて呼出操作をすることができるため、ナースコール子機２０がどのように置かれていても、患者は看護師への呼出を容易かつ確実に行うことができるようになる。
【００３４】
また、第１の照度センサ２２および第２の照度センサ２４を設けることで、昼間であってナースコール子機２０がベッドに置かれている状態のときに、ベッドの表面と接している面に設けられている操作部を無効とすることができ、例えば、ベッド上の突起や異物などに操作部が接触することで、誤って呼出操作がされてしまうことを防ぐことができる。
【００３５】
さらに、ナースコール子機２０が吊り下げられている場合や立てかけられている場合等、第１の操作部１２および第２の操作部１３の両方に光が当たる状況では、両方の操作部が有効になるため患者は両側から呼出操作することが可能となり、さらに使い勝手がよくなる。
【００３６】
さらに、第１の実施形態のように、傾斜センサ１４を用いた場合、ナースコール子機１０を手にもった状態で操作しようとすると、ナースコール子機１０の傾斜が所定角度範囲以外になることがある。この場合、下向きの操作部が無効となり、呼出操作をすることができなくなる。これに対して、第２の実施形態によれば、患者が寝ながらナースコール子機２０を持って空中で操作するような、第１の照度センサ２２と第２の照度センサ２４との間の照度値に差があまりでない場合には、第１の操作部１２および第２の操作部１３の両方が有効となるので、傾斜センサ１４を用いる場合の上述の不都合を回避できる。
【００３７】
なお、上記第１の実施形態および第２の実施形態では、ナースコール子機１０，２０の筐体の形状を直角柱として説明したが、これに限られるものではない。例えば、三角柱や三角錐等の多角形の柱状または錐状であってもよい。また、第１の操作部１２および第２の操作部１３を筐体の反対側の面に設ける旨説明したが、これに限られるものではない。例えば、異なる面であれば筐体の直交する面に設けてもよい。
【００３８】
また、第１の操作部１２および第２の操作部１３の２つの操作部を設ける旨説明したが、３つ以上設けるようにしてもよい。これにより、ナースコール子機１０およびナースコール子機２０がどのように置かれていても、さらに呼出操作がし易くなる。例えば、第１の操作部１２および第２の操作部１３が筐体の反対側の面に設けられている例について説明したが、これらの面と直交する面に第３の操作部を設けてもよい。
【００３９】
例えば、このように構成したナースコール子機が図３（ａ）に示す方向へ９０度回転した場合に、ベッドの表面と接する面に第３の操作部が設けられているときには、傾斜センサ１４で検出された角度に９０度を加えた角度、または検出された傾斜角度と９０度とを１８０度から引いたものを、第３の操作部が設けられている面の傾斜角度とすればよい。また、ナースコール子機が図３（ａ）に示す方向へ９０度回転した場合に、ベッドの表面と接しない面に第３の操作部が設けられているときには、所定の角度範囲内であるか否かにかかわらず、第３の操作部は有効となるようにする。また、第３の操作部に対応する傾斜センサを別途設けるようにし、その傾斜センサで検出された角度を用いて第３の操作部の有効無効を判断してもよい。
【００４０】
また、照度センサを用いる場合には、第３の操作部と対応する第３の照度センサをさらに設け、他の照度センサにて検出したそれぞれの値と比較して、どちらの値とも一定以上の差がないときには、第３の操作部も有効にするようにすればよい。また、少なくともどちらか一方の照度値との間に一定以上の差があるときには、照度値が所定値以上であるかを判断し、所定値以上であれば第３の操作部を有効とすればよい。
【００４１】
また、上記第１の実施形態および第２の実施形態では、傾斜センサ１４，第１の照度センサ２２および第２の照度センサ２４をそれぞれ単独で使用する例について説明したが、これに限られるものではない。例えば、傾斜センサ１４、第１の照度センサ２２および第２の照度センサ２４を組み合わせて使用することも可能である。
【００４２】
また、傾斜センサ１４，第１の照度センサ２２および第２の照度センサ２４を設けずに構成してもよい。このように構成しても、ナースコール子機の筐体の異なる面に２つ以上の操作部を設けるようにしているので、少なくとも、ナースコール子機の何れかが下を向いていても、他の面に設けている操作部にて操作することができるようになるという効果が得られる。
【００４３】
さらに、第２の実施形態においては、ステップＳ２３にて照度値に一定以上の差があるか否か判断する旨説明したが、この判断を省略することも可能である。この場合でも、少なくとも、ベッドの表面と接する面に設けられた操作部は無効となるため、ベッド上の突起や異物などと操作部との接触による誤操作を防止することができるという効果が得られる。この場合において、ステップＳ２５，ステップＳ２７における判定基準としている所定値をゼロ、または、限りなくゼロに近い照度値としてもよい。通常、夜間でも多少の照度は検出されるものと考えられる。したがって、ゼロまたは限りなくゼロに近い所定値以上の照度値が検出された場合には、その照度値を検出した照度センサと対応する操作部は有効になる。一方、検出された照度値が所定値未満のときは、ナースコール子機がベッドの表面と接するように置かれ、ベッドの表面に接している側の照度値がほぼゼロになるものと考えられる。この場合、昼夜にかかわらず、ベッドの表面と接する面に設けられた操作部は無効となる。これにより、ベッド上の突起や異物などと操作部との接触による誤操作を防止することができるという効果が得られる。
【００４４】
また、第１の照度センサ２２および第２の照度センサ２４で計測した照度値のうち、低い照度値を検出した照度センサと対応する第１の操作部１２または第２の操作部１３を無効とするようにしてもよい。このようにすれば、夜間であってもベッドと接する面に設けられた操作部を無効とすることができる。
【００４５】
その他、上記実施形態は、何れも本発明を実施するにあたっての具体化の一例を示したものに過ぎず、これらによって本発明の技術的範囲が限定的に解釈されてはならないものである。すなわち、本発明はその精神、またはその主要な特徴から逸脱することなく、様々な形で実施することができる。
【図面の簡単な説明】
【００４６】
【図１】第１の実施形態によるナースコール子機の外観例を示す図である。
【図２】第１の実施形態のナースコール子機の構成例を示す説明図である。
【図３】傾斜センサで計測する角度の説明図である。
【図４】第１の実施形態のナースコール子機の動作例を示すフローチャートである。
【図５】第２の実施形態によるナースコール子機の外観例を示す図である。
【図６】第２の実施形態のナースコール子機の構成例を示す説明図である。
【図７】第２の実施形態のナースコール子機の動作例を示すフローチャートである。
【符号の説明】
【００４７】
１０  ナースコール子機
１１  ケーブル
１２  第１の操作部
１３  第２の操作部
１４  傾斜センサ
１５  操作制御部
２０  ナースコール子機
２１  第１の受光孔
２２  第１の照度センサ
２３  第２の受光孔
２４  第２の照度センサ
２５  操作制御部
【図１】
2008018037.tif 000003
【図２】
2008018037.tif 000004
【図３】
2008018037.tif 000005
【図４】
2008018037.tif 000006
【図５】
2008018037.tif 000007
【図６】
2008018037.tif 000008
【図７】
2008018037.tif 000009